(57)【特許請求の範囲】
【請求項１】
試料に対して所定の分析処理を行う分析装置であって、
供給された試料に対して、その結果から同試料に対して第二分析処理を行うべきか否かを判別可能な第一分析処理を行う第一分析部と、
供給された試料に対して、前記第二分析処理を行う第二分析部と
試料を一時的に貯留するための試料貯留部と、
試料を試料容器から採取して前記第一分析部及び試料貯留部に供給する一つのノズルと、
前記試料貯留部内の試料又は前記試料貯留部に供給される試料に対して、前記第一分析処理よりも短時間で分析結果を導出することが可能な短時間分析処理であって、前記第一分析処理において測定される分析項目の内の一部と同一又は関連性のある分析項目を測定する短時間分析処理を行う短時間分析部と、
前記第二分析処理を行うか否かを前記短時間分析処理の結果に基づいて前記第一分析処理の結果が導出される前に判別し、前記第二分析処理を行うと判別した場合に、前記試料貯留部内の試料を前記第二分析部に供給し、前記第二分析処理を行わないと判別した場合に、前記試料貯留部内の試料を破棄する制御部と、
を備えることを特徴とする分析装置。
【請求項２】
前記第二分析処理が、沈渣検査処理である
ことを特徴とする請求項１に記載の分析装置。
【請求項３】
前記短時間分析処理が、前記試料の特定の物性値を測定する処理である
ことを特徴とする請求項１又は２に記載の分析装置。
【請求項４】
前記短時間分析処理において、前記第一分析処理において測定される分析項目の内の一部を前記第一分析処理とは異なる方法で測定することを特徴とする請求項１から３のいずれか一項に記載の分析装置。
【請求項５】
前記短時間分析処理において測定される分析項目は、前記第一分析処理において測定される分析項目と異なることを特徴とする請求項１から３のいずれか一項に記載の分析装置。
【請求項６】
前記短時間分析部は、試料容器から試料を採取するノズル、前記第一分析部に供給される試料が流れる流路、及び、前記第二分析部に供給される試料が流れる流路のいずれかに設置されていることを特徴とする請求項１から５のいずれか一項に記載の分析装置。
【請求項７】
前記短時間分析部と前記試料貯留部とが一体で形成されていることを特徴とする請求項１に記載の分析装置。
【請求項８】
前記第一および第二分析部が一つの筐体に収容されていることを特徴とする請求項１から７のいずれか一項に記載の分析装置。
【請求項９】
試料に対して所定の分析処理を行う分析方法であって、
試料に対して、その結果から同試料に対して第二分析処理を行うべきか否かを判別可能な第一分析処理を行う第一分析ステップと、
試料に対して、前記第二分析処理を行う第二分析ステップと
試料を一時的に貯留するための試料貯留部内の試料又は前記試料貯留部に供給される試料に対して、前記第一分析処理よりも短時間で分析結果を導出することが可能な短時間分析処理であって、前記第一分析処理において測定される分析項目の内の一部と同一又は関連性のある分析項目を測定する短時間分析処理を行う短時間分析ステップと、
試料の前記第一分析処理を前記第一分析ステップに開始させると共に、同じ試料を前記試料貯留部に貯留させ、前記第二分析処理を行うか否かを前記短時間分析処理の結果に基づいて前記第一分析処理の結果が導出される前に判別し、前記第二分析処理を行うと判別した場合に、前記試料貯留部内の試料の前記第二分析処理を前記第二分析ステップに行わせ、前記第二分析処理を行わないと判別した場合に、前記試料貯留部内の試料を破棄する制御ステップと、を有することを特徴とする分析方法。
【請求項１０】
前記短時間分析処理において、前記第一分析処理において測定される分析項目の内の一部を前記第一分析処理とは異なる方法で測定することを特徴とする請求項９に記載の分析方法。
【請求項１１】
前記短時間分析処理において測定される分析項目は、前記第一分析処理において測定される分析項目と異なることを特徴とする請求項９に記載の分析方法。
【請求項１２】
試料に対して所定の分析処理を行う分析装置を制御するコンピュータのプログラムであって、
前記分析装置が、
供給された試料に対して、その結果から同試料に対して第二分析処理を行うべきか否かを判別可能な第一分析処理を行う第一分析部と、供給された試料に対して、前記第二分析処理を行う第二分析部と、試料を一時的に貯留するための試料貯留部と、試料を試料容器から採取して前記第一分析部及び試料貯留部に供給する一つのノズルと、前記試料貯留部内の試料又は前記試料貯留部に供給される試料に対して、前記第一分析処理よりも短時間で分析結果を導出することが可能な短時間分析処理であって、前記第一分析処理において測定される分析項目の内の一部と同一又は関連性のある分析項目を測定する短時間分析処理を行う短時間分析部と、を備えており、
前記第二分析処理を行うか否かを前記短時間分析処理の結果に基づいて前記第一分析処理の結果が導出される前に判別し、前記第二分析処理を行うと判別した場合に、前記試料貯留部内の試料を前記第二分析部に供給し、前記第二分析処理を行わないと判別した場合に、前記試料貯留部内の試料を破棄する制御ステップを前記コンピュータに実行させることを特徴とするプログラム。
【請求項１３】
請求項１２に記載のプログラムを記録したことを特徴とする記録媒体。
【発明の詳細な説明】
【技術分野】
【０００１】
本発明は、試料に対して所定の分析処理を行う分析装置、分析システム及び分析方法に関する。
【背景技術】
【０００２】
近年、血液や尿等の試料（検体）を分析する分析装置或いは分析システムにおいて、同一の試料に対して複数の分析処理を行うものが開発されている。例えば、特許文献１〜４には、分析処理内容が異なる複数の分析装置と、これらの分析装置に複数の検体容器を順次搬送する搬送装置とを組み合わせたシステムが記載されている。このようなシステムでは、各分析装置において、搬送装置によって搬送される試料容器から、試料採取用のノズルを利用して分析対象となる試料が採取される。そして、採取された試料に対して、それぞれの分析処理が行なわれる。【０００３】
ここで、このような複数の分析処理を行う分析装置或いは分析システムにおいては、一の試料に対して先ず一の分析処理を行い、その結果に基づいて該試料に対して他の分析処理を行うか否かを判別し、その後、該試料に対して他の分析処理を行う場合がある。しかしながら、この場合、同一の試料に対して一の分析処理と他の分析処理とを同時期に行うことができないため、全体としての分析処理の効率が低下する虞がある。【０００４】
また、一の分析処理の進行状況が他の分析処理の進行状況の影響を受けることとなった場合も、全体としての分析処理の効率が低下する虞がある。
【先行技術文献】
【特許文献】
【０００５】
【特許文献１】特許第３６１６７４４号公報
【特許文献２】特開平７−９２１７１号公報
【特許文献３】特許第３０３１２４２号公報
【特許文献４】特許第３０３１３７４号公報
【発明の概要】
【発明が解決しようとする課題】
【０００６】
本発明は、上記問題に鑑みてなされたものであって、試料に対して複数の分析処理を行う場合において、全体としての分析処理の効率を向上させることが可能な技術を提供することを目的とする。
【課題を解決するための手段】
【０００７】
本発明では、上記課題を解決するために、以下の手段を採用した。【０００８】
第一の発明に係る分析装置は、試料に対する第一分析処理よりも短時間で完了する短時間分析処理を前記試料に対して行う短時間分析部と、前記第一分析処理と異なる第二分析処理を前記試料に対して行うか否かを前記短時間分析処理に基づいて判別する判別部とを備えることを特徴とする。【０００９】
すなわち、第一の発明に係る分析装置は、試料に対して短時間分析処理（試料の特定の物性値を測定する処理等の、第一分析処理よりも短時間で完了する分析処理）を行うことにより、第二分析処理を試料に対して行うか否かを判別（判定）する機能を有している。従って、この分析装置を用いておけば、或る試料に対する第一分析処理の完了前に第二分析処理を開始することが可能となり、その結果として、試料に対して複数の分析処理を行う場合において、全体としての分析処理の効率を向上させることができることになる。【００１０】
第一の発明に係る分析装置は、『前記第二分析処理を前記試料に対して行う第二分析部』及び／又は『前記第一分析処理を前記試料に対して行う第一分析部』をさらに備えてもよい。また、第一の発明に係る分析装置を第二分析部を備えた装置として実現する場合には、判別部として、前記第二分析処理を前記試料に対して行うと判別した場合、前記試料に対する前記第一分析処理の終了を待つことなく、前記第二分析部に、前記試料に対する前記第二分析処理を開始させるものを採用しておくことが出来る。【００１１】
第二の発明に係る分析装置は、尿試料の特定の物性値を測定する短時間分析部と、前記短時間分析部による物性値の測定結果に基づき、前記尿試料に対して沈渣検査を行うか否かを判別する判別部と、前記判別部により沈渣検査を行うと判別された前記尿試料に対して、沈渣検査を行う沈渣検査部とを備えることを特徴とする。【００１２】
すなわち、この分析装置は、尿試料の特定の物性値（比重、色調を表す値等）を測定することにより、沈渣検査の要否を判定して、沈渣検査が必要とされる尿試料に対して沈渣検査を行う構成を有している。従って、この分析装置によれば、尿試料に対する定性検査（定性分析処理）の完了前に沈渣検査（沈渣分析処理）が開始される形（つまり、尿試料に対する、全体としての分析処理の効率が向上する形で）、尿検査を行えることになる。【００１３】
第三の発明に係る分析装置は、試料に対して所定の分析処理を行う分析装置であって、試料に対して、第一分析処理を行う第一分析部と、第二分析処理を行う第二分析部と、前記第一分析処理よりも短時間で分析結果を導出することが可能な短時間分析処理を行う短時間分析部と、前記第二分析処理を行うか否かを前記短時間分析処理の結果に基づいて前記第一分析処理の結果が導出される前に判別する判別部と、を備えたことを特徴とする。【００１４】
本発明においては、一の試料に対し、第一分析処理の結果が導出される前に、第二分析処理を行うか否かが判別される。そのため、第二分析処理を行うと判定された場合、一の試料に対して第一分析処理と第二分析処理とを同時期に行うことが可能となる。従って、本発明によれば、試料に対して複数の分析処理を行う場合において、全体としての分析処理の効率を向上させることができる。【００１５】
本発明に係る分析装置は、前記判別部を第一判別部とし、該第一判別部とは異なる第二判別部を更に備えてもよい。該第二判別部は、第二分析処理を行うか否かを第一分析処理の結果に基づいて判別する。この場合、第一判別部は、試料に対し第二分析処理を行うか否かについて、第二判別部よりも早期に判別することができる。また、短時間分析処理及び第一分析処理の両方の結果に基づいて第二分析処理を行うか否かを判別することで、分析対象となる試料についての第二分析処理の必要性をより高い精度で判別することが可能となる。【００１６】
また、本発明に係る分析装置は、同一の試料について、第一判別部において第二分析処理を行なわないと判定され、その後、第二判別部において第二分析処理を行うと判定された場合は、該試料に対し第二分析処理を行なってもよい。これによれば、一の試料について、短時間分析処理の結果からは第二分析処理の必要性を正確に判断できなかった場合であっても、第一分析処理の結果に基づいて第二分析処理を行うことができる。【００１７】
ここで、短時間分析処理において測定される分析項目の内の少なくとも一部は、第一分析処理において測定される分析項目の内の一部と同一又はそれと関連性のある項目であってもよい。また、短時間分析処理においては、第一分析処理において測定される分析項目の内の一部を第一分析処理とは異なる方法で測定してもよい。また、短時間分析処理において測定される分析項目は、第一分析処理において測定される分析項目と異なっていてもよい。いずれの場合においても、分析対象となる試料についての第二分析処理の必要性をより高い精度で判別することができる。【００１８】
本発明に係る分析装置において、短時間分析部は、試料容器から試料を採取するノズル、第一分析部に供給される試料が流れる流路、または、第二分析部に供給される試料が流れる流路のいずれに設置されてもよい。これらのような構成によれば、試料が第二分析部に供給される前に、該試料に対して短時間分析処理を行うことができる。【００１９】
本発明に係る分析装置は、短時間分析処理が行われた後であって第二分析処理が行われる前の試料を一時的に貯留することが可能な試料貯留部を更に備えてもよい。この場合、第二分析処理を行う際には、試料貯留部から第二分析部に試料が供給される。このように、一度採取した試料を試料貯留部に貯留しておくことで、該試料に対して第二分析処理を行うこととなったときに、該試料を試料容器から再度採取することなく第二分析処理を行うことが可能となる。【００２０】
ここで、試料貯留部は短時間分析部と一体で形成されていてもよい。これによれば、試料貯留部に貯留された試料に対し短時間分析処理を行うことができる。【００２１】
また、第四の発明に係る分析装置は、試料に対して所定の分析処理を行う分析装置であって、試料に対して、第一分析処理を行う第一分析部と、第二分析処理を行う第二分析部と、試料を前記第二分析部に供給する前に一時的に貯留することが可能な試料貯留部と、を備えたことを特徴とする。【００２２】
本発明によれば、第二分析部において第二分析処理を行う際には、試験貯留部から第二分析部にその対象となる試料が供給される。そのため、複数の試料に対して各分析処理を行う場合、第二分析処理対象分の試料を試料貯留部に貯留しておけば、第二分析処理の進行状況に関わらず、第一分析処理を進めることができる。つまり、一の試料に対する第一分析処理が完了すれば、次の分析対象となる試料に対し直ちに第一分析処理を行うことが可能となる。従って、全体としての分析処理の効率を向上させることができる。【００２３】
本発明に係る分析装置においては、第一および第二分析部に供給する試料を試料容器から採取するノズル一つにしてもよい。この場合、一つのノズルによって採取された試料を、先ず、第一分析部に供給すると共に一旦試料貯留部に貯留することができる。【００２４】
ここで、例えば、分析装置において上記のような試料貯留部が存在しない場合、一の試料について、第一分析処理が完了した後に第二分析処理を行う際には、ノズルによって該試料を試料容器から再度採取する必要がある。しかしながら、一つのノズルによって順次搬送される複数の試料を採取するような状況では、一度採取した試料を該ノズルによって時間をおいて再度採取しようとした場合、該試料が収容された試料容器の位置まで該ノズルを移動させる必要が生じる。従って、一つのノズルで、同一の試料を時間をおいて再度採取するのは困難である。【００２５】
一方、本発明に係る分析装置は、上記のような試料貯留部を備えている。そのため、上述したように、第二分析処理を行う際には、試験貯留部から第二分析部に試料を供給することができる。つまり、一の試料について、第一分析処理が完了した後に第二分析処理を行う際にも、ノズルによって該試料を試料容器から再度採取する必要がない。そのため、複数の分析部に対するノズルの共通化を容易に図ることができる。【００２６】
そして、複数の分析部に対してノズルを共通化することで、各分析部へ試料を供給するための流路の一部や、ノズルを洗浄するための洗浄装置についても共通化を図ることができる。その結果、分析装置自体を小型化することが可能となる。また、分析装置の製造コストの削減も可能となる。【００２７】
また、このように第一および第二分析部に対してノズルを共通化した場合であっても、一の試料に対する第一分析処理が完了すれば、次の分析対象となる試料を第一分析部に直ちに供給することができる。従って、全体としての分析処理の効率を向上させることができる。【００２８】
本発明に係る分析装置は、第二分析処理を行うか否かを第一分析処理の結果に基づいて判別する判別手段を更に備えてもよい。この場合、同一の試料について、第二分析処理は第一分析処理の完了後に行なわれる。本発明に係る分析装置によれば、このような場合も、一の試料に対する第一分析処理が完了すれば、次の分析対象となる試料に対し直ちに第一分析処理を行うことができる。【００２９】
本発明に係る分析装置において、試料貯留部は、ノズルから第二分析部に供給される試料が流れる流路に設置された内部貯留部を有してもよい。また、本発明に係る分析装置が、第一分析部に供給される試料が流れる第一流路と、第二分析部に供給される試料が流れる第二流路と、ノズルによって採取された試料を第一流路と第二流路とのいずれに流すのかを切り替える切替弁と、を更に備えている場合、試料貯留部は、第二流路に設置された内部貯留部を有してもよい。【００３０】
これらのような構成によれば、ノズルによって採取された試料を、第二分析部に供給する前に内部貯留部に貯留することができる。そして、第二分析処理を行う際には、内部貯留部に貯留された試料を、第二分析部に通じる流路を通して第二分析部に供給することができる。【００３１】
また、本発明に係る分析装置において、ノズルが、試料容器から試料を吸引することで該試料を採取するものである場合、試料貯留部は、該ノズルに一旦吸引された試料を吐出することが可能な位置に設置され且つ該ノズルから吐出された試料を貯留する外部貯留部を有してもよい。この場合、第二分析部に試料を供給する際には、外部貯留部に貯留された試料をノズルによって吸引してもよい。【００３２】
このような構成によれば、ノズルによって採取された試料を、第二分析部に供給する前に外部貯留部に貯留することができる。そして、第二分析処理を行う際には、外部貯留部に貯留された試料を、第二分析部に通じる流路を通して第二分析部に供給することができる。【００３３】
尚、本発明に係る試料貯留部は、内部貯留部と外部貯留部との両方を有してもよい。【００３４】
また、第一及び第二の発明に係る分析装置においては、第一および第二分析部が一つの筐体に収容されていてもよい。これによれば、分析装置自体の小型化を図ることができる。【００３５】
第一の発明に係る分析システムは、試料に対して所定の分析処理を行う分析システムであって、試料に対して、第一分析処理を行う第一分析装置と、第二分析処理を行う第二分析装置と、前記第一分析処理よりも短時間で分析結果を導出することが可能な短時間分析処理を行う短時間分析装置と、前記第二分析処理を行うか否かを前記短時間分析処理の結果に基づいて前記第一分析処理の結果が導出される前に判別する判別装置と、を備えたことを特徴とする。【００３６】
すなわち、第一の発明に係る分析システムは、各分析装置に分析対象として同試料が与えられる形で運用すれば、試料に対する第一分析処理の完了前に第二分析処理を開始することが可能なシステムとなっている。従って、この分析システムによっても、試料に対して複数の分析処理を行う場合において、全体としての分析処理の効率を向上させることができる。【００３７】
第二の発明に係る分析システムは、試料に対して所定の分析処理を行う分析システムであって、試料に対して、第一分析処理を行う第一分析装置と、第二分析処理を行う第二分析装置と、試料を前記第二分析部に供給する前に一時的に貯留することが可能な試料貯留装置と、を備えたことを特徴とする。【００３８】
本発明に係る分析システムによれば、第二の発明に係る分析装置によって得られる効果と同様の効果を得ることができる。【００３９】
第一の発明に係る分析方法は、試料に対して所定の分析処理を行う分析方法であって、試料に対して、第一分析処理を行う第一分析ステップと、第二分析処理を行う第二分析ステップと、前記第一分析処理よりも短時間で分析結果を導出することが可能な短時間分析処理を行う短時間分析ステップと、前記第二分析処理を行うか否かを前記短時間分析処理の結果に基づいて前記第一分析処理の結果が導出される前に判別する判別ステップと、を有することを特徴とする。【００４０】
また、本発明に係る分析方法は、前記判別ステップを第一判別ステップとし、該第一判別ステップとは異なる第二判別ステップを更に有してもよい。該第二判別ステップでは、第二分析処理を行うか否かを第一分析処理の結果に基づいて判別する。【００４１】
また、本発明に係る分析方法では、同一の試料について、第一判別ステップにおいて第二分析処理を行わないと判定され、その後、第二判別ステップにおいて第二分析処理を行うと判定された場合は、第二分析処理を行ってもよい。【００４２】
また、本発明に係る分析方法においても、本発明に係る分析装置と同様、短時間分析処理において測定される分析項目の内の少なくとも一部は、第一分析処理において測定される分析項目の内の一部と同一又はそれと関連性のある項目であってもよい。また、短時間分析処理においては、第一分析処理において測定される分析項目の内の一部を第一分析処理とは異なる方法で測定してもよい。また、短時間分析処理において測定される分析項目は、第一分析処理において測定される分析項目と異なっていてもよい。【００４３】
また、本発明に係る分析方法は、短時間分析処理が行われた後であって第二分析処理が行われる前の試料を試料貯留装置に一時的に貯留する試料貯留ステップを更に有してもよい。この場合、第二分析ステップにおいて、試料貯留装置に貯留された試料を用いて前記第二分析処理が行われる。【００４４】
本発明に係る分析方法によれば、第一の発明に係る分析装置によって得られる効果と同様の効果を得ることができる。【００４５】
第二の発明に係る分析方法は、試料に対して所定の分析処理を行う分析方法であって、試料に対して、第一分析処理を行う第一分析ステップと、第二分析処理を行う第二分析ステップと、試料を前記第二分析処理を行う前に試料貯留装置に一時的に貯留する試料貯留ステップと、を有することを特徴とする。【００４６】
また、本発明に係る分析方法は、第二分析処理を行うか否かを第一分析処理の結果に基づいて判別する判別ステップを更に有してもよい。【００４７】
本発明に係る分析方法によれば、第二の発明に係る分析装置によって得られる効果と同様の効果を得ることができる。【００４８】
第一の発明に係るプログラムは、試料に対して所定の分析処理を行う分析装置を制御するコンピュータのプログラムであって、前記分析装置が、試料に対して、第一分析処理を行う第一分析部と、第二分析処理を行う第二分析部と、前記第一分析処理よりも短時間で分析結果を導出することが可能な短時間分析処理を行う短時間分析部と、を備えており、前記第二分析処理を行うか否かを前記短時間分析処理の結果に基づいて前記第一分析処理の結果が導出される前に判別する判別ステップを前記コンピュータに実行させることを特徴とする。【００４９】
本発明に係るプログラムは、判別ステップを第一判別ステップとし、コンピュータに、更に、該第一判別ステップとは異なる第二判別ステップを実行させてもよい。該第二ステップでは、第二分析処理を行うか否かを第一分析処理の結果に基づいて判別する。【００５０】
また、本発明に係るプログラムでは、同一の試料について、第二判別ステップにおいて第二分析処理を行わないと判定され、その後、第一判別ステップにおいて第二分析処理を行うと判定された場合は、コンピュータに第二分析部による第二分析処理を実行させてもよい。【００５１】
本発明に係るプログラムによれば、第一の発明に係る分析装置によって得られる効果と同様の効果を得ることができる。【００５２】
第二の発明に係るプログラムは、試料に対して所定の分析処理を行う分析装置を制御するコンピュータのプログラムであって、前記分析装置が、試料に対して、第一分析処理を行う第一分析部と、第二分析処理を行う第二分析部と、試料を貯留することが可能な試料貯留部と、を備えており、試料を、前記第二分析部による前記第二分析処理を行う前に前記試料貯留部に一時的に貯留させる試料貯留ステップを前記コンピュータに実行させることを特徴とする。【００５３】
本発明に係るプログラムは、コンピュータに、更に、第二分析処理を行うか否かを第一分析処理の結果に基づいて判別する判別ステップを実行させてもよい。【００５４】
本発明に係るプログラムによれば、第二の発明に係る分析装置によって得られる効果と同様の効果を得ることができる。【００５５】
第一の発明又は第二の発明に係る記録媒体は、これらの発明に係る上記プログラムを記録したことを特徴とする。
【発明の効果】
【００５６】
本発明によれば、試料に対して複数の分析処理を行う場合において、全体としての分析処理の効率を向上させることができる。
【図面の簡単な説明】
【００５７】
【図１】実施例１に係る尿分析装置の概略構成を示す外観図である。
【図２】実施例１に係る尿分析装置の概略構成を示す図である。
【図３】実施例１に係る制御部の概略構成を示すブロック図である。
【図４】実施例１に係る尿分析装置での分析処理のフローを示すフローチャートである。
【図５】実施例１の第一の変形例に係る尿分析装置の概略構成を示す図である。
【図６】実施例１の第二の変形例に係る尿分析装置の概略構成を示す図である。
【図７】実施例１の第三の変形例に係る尿分析装置の概略構成を示す図である。
【図８】実施例２に係る尿分析装置の概略構成を示す図である。
【図９】実施例２に係る制御部の概略構成を示すブロック図である。
【図１０】実施例２に係る尿分析装置での分析処理のフローを示す第一のフローチャートである。
【図１１】実施例２に係る尿分析装置での分析処理のフローを示す第二のフローチャートである。
【図１２】実施例２の第一の変形例に係る尿分析装置の概略構成を示す図である。
【図１３】実施例２の第二の変形例に係る尿分析装置の概略構成を示す図である。
【図１４】実施例２の第三の変形例に係る尿分析装置の概略構成を示す図である。
【図１５】実施例３に係る尿分析装置の概略構成を示す図である。
【図１６】実施例４に係る分析システムの概略構成を示す図である。
【発明を実施するための形態】
【００５８】
以下、本発明の具体的な実施形態について図面に基づいて説明する。本実施例に記載されている構成部品の寸法、材質、形状、その相対配置等は、特に記載がない限りは発明の技術的範囲をそれらのみに限定する趣旨のものではない。
【００５９】
尚、ここでは、本発明を、尿の成分分析を行うための尿分析装置に適用した場合を例に挙げて説明する。ただし、本発明は、尿分析装置以外のもの、例えば、血液の成分分析を行うための血液分析装置等にも適用することができる。また、以下に説明する本発明に係る分析装置の各実施形態の説明は、本発明に係る分析装置、分析システム、分析方法、プログラム及びプログラムを記憶した記録媒体の実施形態の説明も兼ねるものである。
【００６０】
＜実施例１＞
実施例１の分析装置について図１〜７に基づいて説明する。
【００６１】
（概略構成）
図１及び２は、本実施例に係る尿分析装置の概略構成を示す図である。図１は装置の外観図であり、図２は装置の内部構成を示す図である。
【００６２】
図１及び２に示すように、本実施例に係る尿分析装置Ａは、一つの筐体１内に収容された第一分析部Ａ１及び第二分析部Ａ２を備えている。第一分析部Ａ１及び第二分析部Ａ２は、分析対象となる検体に対してそれぞれ異なった分析処理を行う。ここでは、第一分析部Ａ１において行なわれる分析処理を第一分析処理と称し、第二分析部Ａ２において行なわれる分析処理を第二分析処理と称する。
【００６３】
具体的には、第一分析処理は尿定性検査であり、第二分析処理は尿沈渣検査である。尿定性検査では、尿に含まれるタンパク質、グルコース、ヘモグロビン及びビリルビン等の濃度、及び尿の比重等が測定される。尿沈渣検査では、血球、上皮細胞、細菌、及び結晶等の尿に含まれるの有形成分が測定される。このように、第一分析処理と第二分析処理とでは分析項目及び分析方法が異なる。
【００６４】
尚、第一分析部Ａ１の具体的な構成としては、尿定性検査を行うことが可能な従来のどのような構成も適用することができる。また、第二分析部Ａ２の具体的な構成としては、尿沈渣検査を行うことが可能な従来のどのような構成も適用することができる。このように、第一分析処理と第二分析処理とでは分析項目及び分析方法が異なる。例えば、第一分析部Ａ１として、化学的な測定（試験紙を使う測定等）を行うものを採用し、第二分析部Ａ２として、フローサイトメトリー法による尿沈渣検査（尿中有形成分定量測定）を行うものを採用することが出来る。
【００６５】
また、尿分析装置Ａは搬送装置２を備えている。搬送装置２は、検体（本発明に係る試料に相当）たる尿Ｂが収容されている複数のスピッツ３０を搬送するため装置である。尚、図示の都合上、各図には、スピッツ３０として丸底試験管を示してあるが、スピッツ３０とは、円錐底試験管のことである。もっとも、尿Ｂ（試料）を収容する容器は適宜選択可能であり、容器の形状を特定のものに限定することは要求されない。搬送装置２は、複数のスピッツ３０を検体ラック３に起立保持させた状態で搬送する。搬送装置２は、筐体１の前面下部に連結されたフレーム２０、該フレーム２０の上面部２０ａ上に位置する３組の循環駆動可能なベルト２１ａ〜２１ｃ、および水平方向に移動可能な２つのプッシャ（図示略）を備えている。
【００６６】
搬送装置２においては、符号ｎ１で示すポジションに検体ラック３が供給されると、該検体ラック３が、ベルト２１ａによって矢印Ｎ１方向に搬送された後に、プッシャによって矢印Ｎ２方向に搬送される。次いで、検体ラック３は、ベルト２１ｃによって矢印Ｎ３方向に搬送された後に、プッシャによって矢印Ｎ４方向に搬送されてベルト２１ｂ上に供給される。
【００６７】
さらに、尿分析装置Ａは、搬送装置２によって搬送されたスピッツ３０から分析対象となる尿Ｂを採取するためのノズル４を備えている。ノズル４は、検体ラック３が矢印Ｎ２方向に搬送される際の搬送経路２９と重なる位置に配置されている。そして、ノズル４は、搬送経路２９上に存在する検体ラック３に保持されたスピッツ３０から尿Ｂを吸引する。これにより、ノズル４は、分析対象となる尿Ｂを採取する。
【００６８】
図１及び２に示すように、本実施例に係る尿分析装置Ａおいては、検体を採取するためのノズルはノズル４のみである。つまり、第一分析部Ａ１に供給される検体および第二分析部Ａ２に供給される検体のいずれもノズル４によって採取される。このように、第一および第二分析部Ａ１、Ａ２についてノズルを共通化することで、各分析部Ａ１、Ａ２へ検体を供給するための流路の一部や、ノズルを洗浄するための洗浄装置についても共通化を図ることができる。そのため、尿分析装置Ａ自体を小型化することができる。また、尿分析装置Ａの製造コストの削減も可能となる。
【００６９】
ここで、本実施例に係る尿分析装置Ａの内部構成について図２に基づいて説明する。尿分析装置Ａの内部には、第一および第二分析部Ａ１、Ａ２の他に、ノズル用移動装置５、尿流路４１ａ、４１ｂ、４１ｃ、三方弁４２、簡易分析部Ａ３及び制御部６０が設けられている。
【００７０】
ノズル用移動装置５は、ノズル４が支持されているアーム５０を備えている。ノズル用移動装置５は、該アーム５０を介してノズル４を上下方向及び水平方向（図２の矢印の方向）に移動させる。
【００７１】
ノズル４には共通尿流路４１ａの一端が接続されている。共通尿流路４１ａの他端は三方弁４２に接続されている。三方弁４２には、第一および第二尿流路４１ｂ、４１ｃの一端が接続されている。三方弁４２は、ノズル４によって採取された尿Ｂを、共通尿流路４１ａから、第一尿流路４１ｂまたは第二尿流路４１ｃのいずれに流すのかを切り換えることが可能である。
【００７２】
そして、第一尿流路４１ｂの他端は第一分析部Ａ１に接続されており、第二尿流路４１ｃの他端は第二分析部Ａ２に接続されている。つまり、ノズル４によって採取された尿Ｂが、共通尿流路４１ａおよび第一尿流路４１ｂを通して第一分析部Ａ１に供給され、共通尿流路４１ａおよび第二尿流路４１ｃを通して第二分析部Ａ２に供給される。
【００７３】
さらに、第一尿流路４１ｂの途中には簡易分析部Ａ３が設置されている。この簡易分析部Ａ３は、分析対象となる検体（簡易分析部Ａ３内を通過する検体）に対して簡易分析処理を行なう。簡易分析部Ａ３による簡易分析処理では、第一分析部Ａ１での第一分析処理において測定される分析項目（即ち、尿定性検査で測定される分析項目）の内の一部と関連性のある分析項目が、第一分析処理における測定方法よりも簡易な方法で測定される。
【００７４】
簡易分析処理の例としては、透過散乱光方式による尿の濁度の測定、尿の赤色度合い測定、又は尿色の測定等を挙げることができる。尿の濁度はタンパク質の濃度と関連性があり、尿の赤色度合いはヘモグロビンの濃度と関連性がある。また、尿色は尿定性検査で測定される尿の各種成分の濃度と関連性がある。このような簡易分析処理では、一検体当たりの分析所要時間が第一分析処理に比べて非常に短い。
【００７５】
尚、簡易分析処理において、第一分析処理において測定される分析項目の内の一部と同一の項目について測定してもよい。例えば、屈折率に基づいて尿の比重を測定してもよい。また、上記例示の場合においても、尿の濁度からタンパク質の濃度を算出してもよく、尿の赤色度合いからヘモグロビンの濃度を算出してもよい。また、簡易分析処理において尿定性検査で測定される分析項目を測定する場合は、その分の測定項目を第一分析処理の測定項目からはずしてもよい。この場合、簡易分析処理において測定される分析項目と第一分析処理において測定される分析項目とは異なったものとなる。これらの場合も、簡易分析処理においては、第一分析処理における測定方法よりも簡易な方法によって、対象となる分析項目についての測定が行なわれる。従って、簡易分析処理における一検体当たりの分析所要時間は、第一分析処理に比べて非常に短い。
【００７６】
制御部６０は、ＣＰＵ６０Ａ及びメモリ６０Ｂ等を備えたコンピュータである。メモリ６０Ｂ（記録媒体）として、揮発性メモリと不揮発性メモリとが具備されており、制御部６０内の不揮発性メモリには、制御部６０内のＣＰＵ（Central Processing Unit：マイクロプロセッサ）６０Ａが、分析装置Ａの始動時（電源投入時）に、揮発性メモリ上に読み出して実行するコンピュータプログラム（以下、単にプログラムとも表記する）が記憶されている。
【００７７】
制御部６０には、第一分析部Ａ１、第二分析部Ａ２、簡易分析部Ａ３、ノズル用移動装置５、および三方弁４２等が電気的に接続されている。ＣＰＵ６０Ａが上記プログラムを実行している制御部６０（以下、単に制御部６０と表記する）は、各分析部Ａ１、Ａ２、Ａ３での分析結果についてのデータ処理を行い、且つ上記各部（または装置）の動作を制御する。このように本実施例では、一つの制御部６０によって、尿分析装置Ａ全体が制御される。
【００７８】
制御部６０は、図３に示すように、機能部として第一判別部６３および第二判別部６４を備えている。各判別部６３、６４の機能については後述する。
【００７９】
尚、図２に示すように、スピッツ３０には、バーコード等の識別コード３１が付されている。尿分析装置Ａは、この識別コード３１を読み取るための読み取り部６２を備えている。該読み取り部６２も制御部６０に電気的に接続されており、読み取り部６２によって読み取られた識別データが制御部６０に入力される。そして、該入力された識別データが、各分析部Ａ１、Ａ２、Ａ３での尿Ｂについての分析結果のデータと関連付けられる参照データとして利用される。
【００８０】
また、図示を省略したが、尿分析装置Ａ内には、ノズル４内を洗浄するための洗浄装置が設けられている。該洗浄装置は、洗浄液を貯留する洗浄液槽、洗浄液槽からノズル４内に洗浄液を供給する供給装置、ノズル４の洗浄後に該ノズル４から吐出される廃液を収容する廃液槽を備えている。尿分析装置Ａでは、ノズル４によって一の検体を採取し、その検体を各分析部Ａ１、Ａ２、Ａ３に供給してから、次の分析対象となる検体を採取する前に、洗浄装置によってノズル４が洗浄される。
【００８１】
本実施例においては、第一および第二分析部Ａ１、Ａ２が、第一〜第三の発明に係る分析装置に関する第一および第二分析部に相当し、簡易分析部Ａ３が、第一〜第三の発明に係る分析装置に関する短時間分析部に相当する。また、制御部６０の第一判別部６３が、第一〜第三の発明に係る分析装置の判別部若しくは第一判別部に相当し、制御部６０の第二判別部６４が、第四の発明に係る第二判別部に相当する。
【００８２】
（分析処理のフロー）
本実施例に係る尿分析装置Ａでは、分析対象となる検体に対し、第二分析部Ａ２において第二分析処理を行う前に、第一分析部Ａ１において第一分析処理を行う。そして、第一分析処理の結果に基づいて、その検体に対し第二分析処理を行うか否かを判別する。これにより第二分析処理を行なうと判定された場合、その検体と同一の検体が第二分析部Ａ２に供給され、第二分析処理が行なわれる。
【００８３】
しかしながら、同一の検体に対して、第一分析処理の結果が導出されるまで第二分析処理が行なわれないこととなると、全体としての分析効率が低下する虞がある。そこで、本実施例では、第一分析処理の結果が導出される前に、簡易分析部Ａ３における簡易分析処理の結果に基づいて、検体に対し第二分析処理を行うか否かを判別する。
【００８４】
以下、本実施例に係る尿分析装置Ａでの分析処理のフローについて図４に示すフローチャートに基づいて説明する。尚、本分析処理のフローは、不揮発性メモリ上のプログラムに従って、制御部６０（制御部６０内のＣＰＵ６０Ａ）が実行するものである。
【００８５】
本分析処理のフローでは、先ず、ステップＳ１０１において、ノズル４によって分析対象となる検体がスピッツ３０から採取される。次に、ステップＳ１０２において、採取された検体が簡易分析部Ａ３及び第一分析部Ａ１に供給される。そして、ステップＳ１０３において、供給された検体に対し、簡易分析部Ａ３では簡易分析処理が実行され、第一分析部Ａ１では第一分析処理が実行される。尚、本実施例においては、このステップＳ１０３が、第一の発明に係る分析方法の第一分析ステップおよび短時間分析ステップに相当する。
【００８６】
続いて、ステップＳ１０４において、簡易分析部Ａ３での簡易分析処理の結果が導出されたか否かが判別される。尚、上述したように、簡易分析処理の分析所要時間は非常に短いため、その実行開始後、短時間で結果が導出される。簡易分析処理の結果が導出されると、ステップＳ１０５において、該簡易分析処理の結果に基づいて、同一の検体に対して第二分析処理を実行するか否かが判別される。本実施例においては、このステップＳ１０５における第二分析処理を実行するか否かの判別が、制御部６０の第一判別部６３によって行なわれる。尚、本実施例においては、このステップＳ１０５が、第一の発明に係る分析方法の判別ステップ若しくは第一判別ステップに相当する。
【００８７】
そして、簡易分析処理の結果に基づいて、検体に対し第二分析処理を実行すると判定された場合、この時点で、分析対象となる検体に対して第二分析処理が行われる。この場合、ステップＳ１０８において、分析対象となる検体がノズル４によってスピッツ３０から再度採取される。次に、ステップＳ１０９において、採取された検体が第二分析部Ａ２に供給される。そして、ステップＳ１１０において、第二分析部Ａ２に供給された検体に対し第二分析処理が実行される。
【００８８】
一方、簡易分析処理の結果に基づいて第二分析処理を実行しないと判定された場合、次に、ステップＳ１０６において、第一分析部Ａ１での第一分析処理の結果が導出されたか否かが判別される。ここで、第一分析処理の結果が未だ導出されていない場合、その結果が導出されるまでの間、待機状態となる。そして、第一分析処理の結果が導出されると、ステップＳ１０７において、該第一分析処理の結果に基づいて、同一の検体に対して第二分析処理を実行するか否かが再度判別される。本実施例においては、このステップＳ１０７における第二分析処理を実行するか否かの判別が、制御部６０の第一判別部６３によって行なわれる。尚、本実施例においては、このステップＳ１０７が、第一の発明に係る分析方法の第二判別ステップに相当する。
【００８９】
第一分析処理の結果に基づいて、第二分析処理を実行すると判定された場合、上述したステップＳ１０８からＳ１１０の手順で、分析対象となる検体に対して第二分析処理が実行される。一方、第一分析処理の結果に基づいて、第二分析処理を実行しないと判定された場合、その検体に対しては第二分析処理は行われない。
【００９０】
上記のような分析処理のフローによれば、一の検体について、簡易分析処理の結果から、第二分析処理を行うと判定された場合、該検体に対して、第一分析処理と第二分析処理とを同時期に行うことができる。従って、全体としての分析処理の効率を向上させることができる。
【００９１】
また、上記フローによれば、一の検体について、簡易分析処理の結果から、第二分析処理は行なわないと判定された場合であっても、第一分析処理の結果に基づいて、第二分析処理を行うか否かが再度判別される。そして、該再度の判別の結果、第二分析処理を行うと判定された場合、その検体に対して第二分析処理が行なわれる。従って、分析対象となる検体についての第二分析処理の必要性をより高い精度で判別することができる。また、一の検体について、簡易分析処理の結果からは第二分析処理の必要性を正確に判断できなかった場合であっても、第一分析処理の結果に基づいて第二分析処理を行うことができる。
【００９２】
尚、本実施例に係る分析装置Ａにおいては、必ずしも、分析対象となる全ての検体について、第二分析処理を行なうか否かを判別する必要はない。例えば、第一分析処理の結果に関わらず第二分析処理を行うことが予め決められている検体に対しては、第一分析処理と第二分析処理とを同時に行ってもよい。また、第一分析処理の結果に関わらず第二分析処理を行わないことが予め決められている検体に対しては、簡易分析処理を行わなくてもよい。
【００９３】
尚、図４に示した分析処理のフローを実現させるコンピュータプログラムは、コンピュータ（制御部６０）が読み取り可能な記録媒体に記録することができる。そして、コンピュータに、このプログラムを読み込ませて実行させることにより、このフローを実現させることができる。
【００９４】
ここで、コンピュータ読み取り可能な記録媒体とは、データやプログラム等の情報を電気的、磁気的、光学的、機械的、または化学的作用によって蓄積し、コンピュータから読み取ることができる記録媒体をいう。このような記録媒体のうちコンピュータから取り外し可能なものとしては、例えばフレキシブルディスク、光磁気ディスク、ＣＤ−ＲＯＭ、ＣＤ−Ｒ／Ｗ、ＤＶＤ、ＤＡＴ、８ｍｍテープ、メモリカード等がある。また、コンピュータに固定された記録媒体としてハードディスクやＲＯＭ（リードオンリーメモリ）等がある。
【００９５】
（変形例）
実施例１の変形例に係る尿分析装置の構成について図５〜７に基づいて説明する。図５は、第一の変形例に係る尿分析装置の概略構成を示す図である。図６は、第二の変形例に係る尿分析装置の概略構成を示す図である。図７は、第三の変形例に係る尿分析装置の概略構成を示す図である。尚、上述した構成と同様の部分については説明を省略する。
【００９６】
第一の変形例に係る尿分析装置Ａでは、図５に示すように、簡易分析部Ａ３が第二尿流路４１ｃの途中に設置されている。このような構成によれば、簡易分析部Ａ３に供給された検体に対して簡易分析処理が行われ、その結果、第二分析処理を行うと判定された場合、その検体をそのまま簡易分析部Ａ３から第二分析部Ａ２に供給することができる。従って、第二分析部Ａ２に供給するための検体を、ノズル４によってスピッツ３０から再度採取する必要がない。第一の変形例をさらに詳細に説明する。図５に示すように、第一の変形例に係る尿分析装置Ａは、実施例１に係る尿分析装置Ａ（図２）と同様に、簡易分析部Ａ３を備えている。ただし、第一の変形例に係る尿分析装置Ａの簡易分析部Ａ３は、第一尿流路４１ｂの途中ではなく、第二尿流路４１ｃの途中に設けられている。また、簡易分析部Ａ３は、その内部に、第二分析部Ａ２による第２分析処理に必要な量の検体を保持できるものとなっている。さらに、簡易分析部Ａ３は、制御部６０から所定の指示が入力されたときに、内部に保持している検体を第二分析部Ａ２側に排出する機能を有している。
【００９７】
また、第一の変形例に係る尿分析装置Ａは、ノズル４によって採取された尿Ｂを、第一尿流路４１ｂ及び第二尿流路４１ｃに分配供給できる三方弁４２を備えている。尚、この三方弁４２は、尿Ｂを第一尿流路４１ｂ側のみに供給すること（尿Ｂに対する第一分析処理のみを行うこと）も、尿Ｂを第二尿流路４１ｃ側のみに供給すること（尿Ｂに対する簡易分析処理、又は、簡易分析処理及び第二分析処理のみを行うこと）も出来るようにするために設けられているものである。従って、第一分析処理及び簡易分析処理の双方を常に行う場合には、三方弁４２を取り除いておくこと（尿流路４１ａ〜４１ｃを直接接続しておくこと）が出来る。
【００９８】
そして、第一の変形例に係る尿分析装置Ａでは、各検体の分析時に、制御部６０による制御下、各部が以下のように動作する。
【００９９】
或る検体の分析時には、まず、ノズル４により、第一分析処理及び第二分析処理の双方に必要とされる量の検体がスピッツ３０から採取され、採取された検体の一部（第一分析処理に必要な量の検体）が第一尿流路４１ｂ等を介して第一分析部Ａ１に供給される。また、同時に、採取した検体の残りの部分（第二分析処理に必要な量の検体）が、第二尿流路４１ｃ等を介して簡易分析部Ａ３に供給される。そして、簡易分析部Ａ３による簡易分析処理と第一分析部による第一分析処理とが開始される。
【０１００】
既に説明したように、簡易分析処理は、一検体当たりの分析所要時間が、第一分析処理に比べて非常に短い処理である。従って、第一分析処理が完了する前に、簡易分析処理が完了する。
【０１０１】
簡易分析処理が完了すると、簡易分析処理により得られた情報（屈折率、比重、濁度等）に基づき、現在、分析対象となっている検体が、第二分析処理を行うべきものであるか否かが制御部６０により判断される。そして、現在、分析対象となっている検体が、第二分析処理を行うべきものであった場合には、簡易分析部Ａ３内の検体が第二分析部Ａ２に供給されて、検体に対する第二分析処理が開始される。尚、分析対象となっている検体が、第二分析処理を行う必要がないものであった場合、簡易分析部Ａ３内の検体は、図示を省略してある機構により破棄される。
【０１０２】
以上、説明したように、本尿分析装置Ａは、スピッツ３０からの１回の検体採取で、第一分析処理と第二分析処理とを行う構成を有している。そして、上記した実施例１に係る尿分析装置Ａは、スピッツ３０から２回検体を採取する装置なのであるから、この第一の変形例に係る尿分析装置Ａは、第二分析処理が完了するまでに要する時間が、実施例１に係る尿分析装置Ａよりも短い装置となっていることになる。
【０１０３】
第二の変形例に係る尿分析装置Ａでは、第一分析部Ａ１が、分析対象となっている尿を試験片に点着させ、該試験片を用いて尿定性検査を行うタイプのものとなっている。そのため、図６に示すように、ノズル４が、尿分析装置Ａの内部において、第一分析部Ａ１の点着部（図示略）の位置まで移動することが可能となっている。そして、ノズル４によって吸引された検体が、第一分析部Ａ１の点着部に設置された試験片に吐出され点着される。
【０１０４】
本変形例では、第一分析部Ａ１には検体が上記のように供給されるため、尿流路は、ノズル４と第二分析部Ａ２とを接続する尿流路４１のみである。そして、簡易分析部Ａ３はノズル４に設置されている。
【０１０５】
このような構成によれば、ノズル４に吸引された検体に対して簡易分析部Ａ３において簡易分析処理が行われる。そして、簡易分析処理の結果、第二分析処理を行うと判定された場合、その検体をそのままノズル４から第二分析部Ａ２に供給することができる。従って、このような構成の場合も、第二分析部Ａ２に供給するための検体を、ノズル４によってスピッツ３０から再度採取する必要がない。
【０１０６】
第二の変形例をさらに詳細に説明する。第二の変形例に係る尿分析装置Ａ（図６）は、上記した第一の変形例に係る尿分析装置Ａ（図５）を変形した装置である。具体的には、第二の変形例に係る尿分析装置Ａは、分析対象となる尿を試験片に点着させ、該試験片を用いて尿定性検査を行うタイプの第一分析部Ａ１を備えている。そのため、第二の変形例に係る尿分析装置Ａは、図６に示してあるように、ノズル４が、尿分析装置Ａの内部において、第一分析部Ａ１の点着部（図示略）の位置まで移動することが可能なように構成されている。また、第二の変形例に係る尿分析装置Ａが備える尿流路は、ノズル４と第二分析部Ａ２とを接続する尿流路４１のみとなっている。
【０１０７】
さらに、第二の変形例に係る尿分析装置Ａの簡易分析部Ａ３（第一の変形例に係る尿分析装置Ａの簡易分析部Ａ３と同じもの）は、ノズル４に設置されている。そして、第二の変形例に係る尿分析装置Ａは、各検体の分析時に、各部が以下のように動作する装置となっている。
【０１０８】
まず、ノズル４により、第一分析処理及び第二分析処理の双方に必要とされる量の検体がスピッツ３０から採取される。例えば、検体の採取後（本変形例では、ノズル４の移動中）に、採取した検体に対する簡易分析処理が行なわれる。そして、この簡易分析処理と並行して、またはこの簡易分析処理と前後して、ノズル４が、第一分析部Ａ１の点着部（図示略）まで移動され、採取済みの検体の一部が、第一分析部Ａ１の点着部に設置された試験片に吐出される。そして、第一分析部Ａ１による第一分析処理が開始される。
【０１０９】
ここで、簡易分析処理の分析結果から、検体が第二分析処理を行うべきものであることが分かった場合には、ノズル４内の検体が第二分析部Ａ２に供給されて、検体に対する第二分析処理が行なわれる。すなわち、第二分析処理は、簡易分析処理の分析結果のみからその要否を判断して（第一分析処理の結果を待たずに）適宜、実行でき、例えば、第二分析処理が必要な場合の第二分析処理を、第一分析処理と同時並行で行うことができる。
【０１１０】
以上の説明から明らかなように、この第二変形例に係る尿分析装置Ａも、スピッツ３０からの１回の検体採取で、第一分析処理と第二分析処理とを行う構成を有している。また、簡易分析処理の結果により、第一分析処理の完了を待たずとも第二分析処理を実行できる。従って、本尿分析装置Ａも、第二分析処理が完了するまでに要する時間を大幅に短縮することができる。
【０１１１】
第三の変形例に係る尿分析装置Ａは、図７に示すように、スピッツ３０から検体を採取するためのノズルを二つ備えている。そして、第一分析部Ａ１に供給するための検体をノズル４Ａによって採取し、第二分析部Ａ２に供給するための検体をノズル４Ｂによって採取する。この場合、ノズル４Ａから第一分析部Ａ１に供給される検体の尿流路と、ノズル４Ｂから第二分析部Ａ２に供給される検体の尿流路とが別系統となる。
【０１１２】
本変形例のような構成では、ノズル４Ａによって検体が採取されたスピッツ３０がノズル４Ｂの位置に搬送されるまでの間に、該検体に対して第二分析処理を行うか否かが決定されるのが好ましい。これによれば、第二分析処理を行うと判定された検体のみをノズル４Ｂによって採取すればよくなるためである。ただし、この場合、第二分析処理を行うか否の決定までの時間が長いと、ノズル４Ａの位置からノズル４Ｂの位置までの間のスピッツ３０の搬送距離を長くする必要が生じる。しかしながら、この間のスピッツ３０の搬送距離が長くなると尿分析装置Ａの大型化を招く虞がある。
【０１１３】
そこで、本変形例では、簡易分析部Ａ３を、ノズル４Ａから第一分析部Ａ１に供給される検体の尿流路に設置してもよい。これによれば、一の検体に対し、簡易分析部Ａ３での簡易分析処理の結果に基づいて第二分析処理を行うか否かを判別することで、ノズル４Ａの位置からノズル４Ｂの位置までの間のスピッツ３０の搬送距離を短くすることが可能となる。その結果、尿分析装置Ａの小型化を図ることができる。
【０１１４】
試料に対して行う第一分析処理の内容、ノズル４Ａ、４Ｂ間の間隔等によっては、第一分析処理の完了前に、スピッツ３０内の検体をノズル４Ｂにより採取できる場合がある。そのような場合には、ノズル４Ｂにより採取した検体に対する簡易分析処理の方が、第一分析処理よりも早く完了することになる。従って、そのような場合には、簡易分析部Ａ３を、ノズル４Ｂから第二分析部Ａ２に供給される検体の尿流路に設置することが出来る。
【０１１５】
さらに、簡易分析部Ａ３がノズル４Ａ側に設けられている第三の変形例に係る尿分析装置Ａを、ノズル４Ａ側の装置（ノズル４Ａ、簡易分析部Ａ３、第一分析部Ａ１等からなる定性分析装置）と、ノズル４Ｂ側の装置（ノズル４Ｂ、第二分析部Ａ２等からなる沈渣検査装置）とに分離し、双方の装置を搬送装置で連結し、簡易分析部での結果により適宜のタイミングで試料の採取およびスピッツの搬送を行うようにしても良いし、または、双方の装置に検体ラック３単位（又はスピッツ３０単位）で同じ検体を供給するようにしても良い。同様に、簡易分析部Ａ３がノズル４Ｂ側に設けられている第三の変形例に係る尿分析装置Ａを、ノズル４Ａ側の装置（ノズル４Ａ、第一分析部Ａ１等からなる定性分析装置）と、ノズル４Ｂ側の装置（ノズル４Ｂ、簡易分析部Ａ３、第二分析部Ａ２等からなる沈渣検査装置）とに分離し、双方の装置を搬送装置で連結し、簡易分析部での結果により適宜のタイミングで試料の採取およびスピッツの搬送を行うようにしても良いし、または、双方の装置に検体ラック３単位（又はスピッツ３０単位）で同じ検体を供給するようにしても良い。
【０１１６】
＜実施例２＞
実施例２に係る分析装置について図８〜１３に基づいて説明する。尚、本実施例において従来技術に相当する部分は、上記実施例１に係る分析装置と同様である。そのため、ここでは、上記実施例１に係る分析装置とは異なる点を中心に説明し、これと同様の部分についての説明は省略する。
【０１１７】
（概略構成）
図８は、本実施例に係る尿分析装置の概略構成を示す図である。尚、本実施例に係る尿分析装置の外観は、図１に示した実施例１に係る尿分析装置の外観と同様である。また、図８においては、図５に示した尿分析装置の構成要素と同様の構成要素に同様の参照番号が付されている。
【０１１８】
本実施例に係る尿分析装置Ａは、実施例１と同様、検体たる尿Ｂをスピッツ３０から採取するノズル４、第一分析部Ａ１および第二分析部Ａ２を備えている。第一および第二分析部Ａ１、Ａ２における分析内容も実施例１と同様である。尚、本実施例に係る尿分析装置Ａは、実施例１に係る簡易分析部Ａ３を備えていない。
【０１１９】
本実施例において、尿分析装置Ａは、ノズル４によって採取された検体を一時的に貯留することが可能な複数の尿貯留槽７０を備えている。尿貯留槽７０は、第二尿流路４１ｃの途中に設けられている。尿貯留槽７０は、制御部６０に電気的に接続されている。尚、尿貯留槽７０は必ずしも複数である必要はない。
【０１２０】
また、制御部６０は、図９に示すように、機能部として判別部６５を備えている。該判別部６５の機能については後述する。
【０１２１】
本実施例においては、第一および第二分析部Ａ１、Ａ２が、第二の発明に係る分析装置の第一および第二分析部に相当する。また、尿貯留槽７０が、第二の発明に係る分析装置の試料貯留部若しくは内部貯留部に相当する。また、制御部６０の判別部６５が、第二の発明に係る分析装置の判別部に相当する。
【０１２２】
（分析処理のフロー）
本実施例に係る尿分析装置Ａにおいても、分析対象となる検体に対し、第二分析部Ａ２において第二分析処理を行う前に、第一分析部Ａ１において第一分析処理を行う。そして、第一分析処理の結果に基づいて、その検体に対し第二分析処理を行うか否かを判別する。これにより第二分析処理を行なうと判定された場合、その検体と同一の検体が第二分析部Ａ２に供給され、第二分析処理が行なわれる。
【０１２３】
ここで、本実施例に係る尿分析装置Ａでは、第二分析処理が行なわれた場合に、その処理が完了するまで、次の分析対象となる検体について第一分析部Ａ１での第一分析処理を行なうことができないこととなると、全体としての分析効率が低下する虞がある。そこで、本実施例では、第二分析部Ａ２において第二分析処理が行なわれている最中であっても、第一分析部Ａ１において第一分析処理が完了した時は、ノズル４によって、次の分析対象となる検体をスピッツ３０から採取する。そして、採取した検体を、第一分析部Ａ１に供給すると共に、尿貯留槽７０に供給し、該尿貯留槽７０に一時的に貯留する。また、この尿貯留槽７０に貯留した検体と同一の検体について、第一分析処理の結果、第二分析処理を行なうと判定された場合、尿貯留槽７０から第二尿流路４１ｃを通して第二分析部Ａ２に該検体を供給する。
【０１２４】
以下、本実施例に係る尿分析装置Ａでの分析処理のフローについて図１０および１１に示すフローチャートに基づいて説明する。ここで、図１０に示す分析処理のフローと図１１に示す分析処理のフローとは別系統のフローとして実行される。尚、本分析処理のフローは、制御部６０のメモリ６０Ｂに記憶されたコンピュータプログラムによって実現される。
【０１２５】
図１０に示す分析処理のフローでは、先ず、ステップＳ２０１において、ノズル４によって分析対象となる検体がスピッツ３０から採取される。次に、ステップＳ２０２において、採取された検体が第一分析部Ａ１及び尿貯留槽７０に供給される。そして、ステップＳ２０３において、第一分析部Ａ１では、供給された検体に対し第一分析処理が実行される。また、尿貯留槽７０に供給された検体は該尿貯留槽７０に貯留される。この時、検体は、複数の尿貯留槽７０の内、その時点で他の検体が貯留されていないものに貯留される。尚、本実施例においては、このステップＳ２０３が、第二の発明に係る分析方法の第一分析ステップおよび試料貯留ステップに相当する。
【０１２６】
続いて、ステップＳ２０４において、第一分析部Ａ１での第一分析処理の結果が導出されたか否かが判別される。そして、第一分析処理の結果が導出されると、ステップＳ２０５において、該第一分析処理の結果に基づいて、同一の検体に対して第二分析処理を実行するか否かが判別される。本実施例においては、このステップＳ２０５における第二分析処理を実行するか否かの判別が、制御部６０の判別部６５によって行なわれる。尚、本実施例においては、このステップＳ２０５が、第二の発明に係る分析方法の判別ステップに相当する。
【０１２７】
そして、第一分析処理の結果に基づいて第二分析処理を実行すると判定された場合、ステップＳ２０６において、その判定結果が、尿貯留槽７０に貯留された同一の検体と関連付けられて制御部６０に記録される。この場合、尿貯留槽７０における検体の貯留が維持される。一方、第一分析処理の結果に基づいて第二分析処理を実行しないと判定された場合、ステップＳ２０７において、尿貯留槽７０に貯留された同一の検体が廃棄装置によって廃棄される。尚、図８においては、該廃棄装置の図示を省略している。検体が廃棄された貯留槽は洗浄液によって洗浄される。
【０１２８】
本分析処理のフローでは、一の検体についての第一分析処理が完了すると、直ちに、次の分析対象となる検体がノズル４によってスピッツ３０から採取される。即ち、上記ステップＳ２０１から２０７が直ちに繰り返される。
【０１２９】
図１１に示す分析処理のフローでは、先ず、ステップＳ３０１において、第二分析部Ａ２における、前回の第二分析処理の対象になった検体についての第二分析処理が完了しているか否かが判別される。そして、該第二分析処理が完了していると判定された場合、次に、ステップＳ３０２において、複数の尿貯留槽７０の内のいずれかに、第二分析処理の対象となる検体が貯留されているか否かが判別される。この判別は、制御部６０に記録されている第二分析処理の実行判定結果に基づいて行なわれる。
【０１３０】
尿貯留槽７０に第二分析処理の対象となる検体が貯留されていると判定された場合、次に、ステップＳ３０３において、該検体が尿貯留槽７０から第二分析部Ａ２に供給される。そして、ステップＳ３０４において、第二分析部Ａ２に供給された検体に対し第二分析処理が実行される。
【０１３１】
上記のような分析処理のフローによれば、ノズル４によって採取された検体の内、尿貯留槽７０に供給された分が該尿貯留槽７０に貯留される。そして、第二分析部Ａ２において第二分析処理を行う際には、尿貯留槽７０から第二分析部Ａ２にその対象となる検体が供給される。そのため、第二分析部Ａ２での第二分析処理の進行状況に関わらず、第一分析部Ａ１での第一分析処理を進めることができる。つまり、一の検体に対する第一分析処理が完了すれば、次の分析対象となる検体に対し直ちに第一分析処理を行うことが可能となる。従って、全体としての分析処理の効率を向上させることができる。
【０１３２】
また、本実施例に係る尿分析装置Ａでは、検体を採取するノズルはノズル４のみである。ここで、本実施例では、上記のように、同一の検体に対する第一分析処理と第二分析処理とが異なるタイミングで行なわれることとなる。そして、第一分析処理の進行状況に合わせて、分析対象となる検体をスピッツ３０から随時採取すべくラック３を搬送させると、同一検体に対する第一分析処理の実行タイミングと第二分析処理の実行タイミングと間に、その検体を収容したスピッツ３０の位置が移動する。
【０１３３】
そのため、第一分析部Ａ１と第二分析部Ａ２とで共通化されたノズル４によって、第一分析処理の実行タイミングと第二分析処理の実行タイミングとの両方のタイミングで同一の検体をスピッツ３０から採取しようとすると、ノズル４の位置をそのスピッツ３０の位置に合わせて移動させる必要が生じる。
【０１３４】
しかしながら、本実施例では、第二分析処理を行う際に第二分析部Ａ２に供給する分の検体を尿貯留槽７０に貯留させておくことができる。そのため、スピッツ３０の位置の移動に合わせてノズル４を移動させる必要がない。つまり、尿貯留槽７０を設けることで、第一分析部Ａ１と第二分析部Ａ２との間でのノズルの共通化をより容易に図ることが可能となる。また、上述したように、第一分析部Ａ１と第二分析部Ａ２との間でのノズルを共通化した場合であっても、全体としての分析処理の効率を向上させることができる。
【０１３５】
尚、本実施例に係る分析装置Ａにおいても、実施例１と同様、必ずしも、分析対象となる全ての検体について、第二分析処理を行なうか否かを判別する必要はない。例えば、第一分析処理の結果に関わらず第二分析処理を行うことが予め決められている検体に対しては、第一分析処理と第二分析処理とを同時に行ってもよい。この場合、該検体を尿貯留槽７０に貯留しなくてもよい。また、第一分析処理の結果に関わらず第二分析処理を行わないことが予め決められている検体を尿貯留槽７０に貯留する必要はない。
【０１３６】
尚、図１０および１１に示した分析処理のフローを実現させるコンピュータプログラムは、コンピュータ（制御部６０）が読み取り可能な記録媒体に記録することができる。そして、コンピュータに、このプログラムを読み込ませて実行させることにより、これらのフローを実現させることができる。
【０１３７】
ここで、コンピュータ読み取り可能な記録媒体とは、データやプログラム等の情報を電気的、磁気的、光学的、機械的、または化学的作用によって蓄積し、コンピュータから読み取ることができる記録媒体をいう。このような記録媒体のうちコンピュータから取り外し可能なものとしては、例えばフロッピー（登録商標）ディスク、光磁気ディスク、CD-ROM、CD-R/W、DVD、DAT、８mmテープ、メモリカード等がある。また、コンピュータに固定された記録媒体としてハードディスクやROM（リードオンリーメモリ）等がある。
【０１３８】
（変形例）
上記実施例２の第一乃至第３の変形例に係る尿分析装置の概略構成について図１２〜１４に基づいて説明する。図１２は、第一の変形例に係る尿分析装置の概略構成を示す図である。図１３は、第二の変形例に係る尿分析装置の概略構成を示す図である。図１４は、第三の変形例に係る尿分析装置の概略構成を示す図である。尚、第四の変形例に係る尿分析装置の外観は、図７に示す実施例１の第三の変形例に係る尿分析装置の外観と同様である。
【０１３９】
第一の変形例に係る尿分析装置Ａでは、図１２に示すように、上記実施例１の第二の変形例と同様、第一分析部Ａ１が、分析対象となる尿を試験片に点着させ、該試験片を用いて尿定性検査を行うタイプのものとなっている。また、本変形例においては、ノズル用移動装置５および尿流路４１の構成も上記実施例１の第二の変形例と同様である。そして、尿貯留槽７０は尿流路４１に設置されている。
【０１４０】
このような構成の場合も、ノズル４によって採取された検体を、第二分析部Ａ２に供給される前に尿貯留槽７０に貯留することができる。そして、第二分析処理を行なう場合は、尿貯留槽７０から第二分析部Ａにその対象となる検体を供給することができる。
【０１４１】
第二の変形例に係る尿分析装置Ａにおいては、図１３に示すように、その内部に尿貯留槽７０が設けられていない。それに代えて、本変形例においては、尿分析装置Ａの外部に、尿貯留槽として機能するスピッツ７１がラックに起立保持された状態で複数配置されている。このスピッツ７１は、搬送装置２によって図１に示すような経路で搬送されるスピッツ３０とは異なるものである。つまり、スピッツ７１は、貯留すべき検体をノズル４から受け取るまでは空の状態にある。尚、このスピッツ７１は、必ずしも複数配置される必要はない。
【０１４２】
そして、本変形例では、このスピッツ７１が配置されている位置までノズル４が移動することが可能となっている。つまり、スピッツ３０からノズル４に一旦吸引された検体を該ノズル４からスピッツ７１に吐出することができる。また、スピッツ７１に貯留された検体をノズル４によって再度吸引することができる。従って、スピッツ７１は、尿貯留槽７０と同様に機能することができる。つまり、本変形例では、第二分析処理を行なう際に第二分析部Ａ２に供給する分の検体を、ノズル４によってスピッツ３０から採取した後、該ノズル４からスピッツ７１に吐出し、スピッツ７１に貯留させる。そして、該検体に対し第二分析処理を行なう際に、該検体をノズル４によってスピッツ７１から吸引し、それを第二分析部Ａ２に供給する。
【０１４３】
このように、尿貯留槽をスピッツとして尿分析装置Ａの外部に配置することで、尿貯留槽を装置内部に設けることに起因する尿分析装置Ａの大型化を抑制することができる。尚、本変形においては、スピッツ７１が、第二の発明に係る試料貯留部または外部貯留部に相当する。ただし、本変形において、尿分析装置Ａの外部に配置される尿貯留槽はスピッツに限られるものではない。例えば、ハルンカップを尿貯留槽として尿分析装置Ａの外部に配置することもできる。
【０１４４】
第三の変形例に係る尿分析装置Ａにおいては、図１４に示すように、その内部に尿貯留槽７０が複数設けられており、且つ、その外部に、尿貯留槽として機能するスピッツ７１がラックに起立保持された状態で複数配置されている。この場合、尿分析装置Ａはより多くの尿貯留槽を有することが出来る。そのため、より多くの検体を第二分析処理を待つ待機状態としておくことができる。その結果、より多くの検体に対して第一分析処理を順次行なうことが可能となる。従って、全体としての分析処理の効率をより向上させることができる。
【０１４５】
第四の変形例にる尿分析装置Ａは、実施例１の第三の変形例と同様、スピッツ３０から検体を採取するためのノズル４Ａ、４Ｂを、第一分析部Ａ１および第二分析部Ａ２毎に備えている。このとき、尿貯留槽を尿分析装置Ａの内部に設ける場合は、ノズル４Ｂから第二分析部Ａ２に供給される検体の尿流路の途中にそれを配置する。また、尿貯留槽（スピッツ等）を尿分析装置Ａの外部に設ける場合は、ノズル４Ｂの近傍にそれを配置する。
【０１４６】
本変形例に係る尿分析装置Ａでは、分析対象となる検体を収容したスピッツが、ノズル４Ａ側からノズル４Ｂ側に向かって搬送される。ここで、尿分析装置Ａに上記のような尿貯留槽を設けることで、スピッツがノズル４Ａの位置からノズル４Ｂの位置まで移動する時間或いは搬送距離を、第一または第二分析処理にかかる時間等を考慮して制限する必要がなくなる。従って、本変形例のような構成の場合においても、尿貯留槽を設けることで、全体としての分析処理の効率を向上させることができ、また、尿分析装置Ａの小型化を図ることができる。
【０１４７】
＜実施例３＞
本実施例は、第一及び第二の両発明に係る分析装置の実施例である。尚、本実施例において従来技術に相当する部分は、上記実施例１に係る分析装置と同様である。そのため、ここでは、上記実施例１に係る分析装置とは異なる点を中心に説明し、これと同様の部分についての説明は省略する。
【０１４８】
（概略構成）
図１５は、本実施例に係る尿分析装置の概略構成を示す図である。尚、本実施例に係る尿分析装置の外観は、図１に示した実施例１に係る尿分析装置の外観と同様である。また、図１５においては、図５に示した尿分析装置の構成要素と同様の構成要素に同様の参照番号が付されている。
【０１４９】
本実施例に係る尿分析装置Ａは、上記実施例１と同様の簡易分析部Ａ３および上記実施例１と同様の尿貯留槽７０を備えている。そして、本実施例においては、図１５に示すように、簡易分析部Ａ３と尿貯留槽７０とが一体で形成されており、これらが第二尿流路４１ｃの途中に設けられている。
【０１５０】
このような構成によれば、尿貯留槽７０に貯留された検体に対して、簡易分析部Ａ３によって簡易分析処理を行なうことができる。これにより、実施例１に係る尿分析装置によって得られる効果と、実施例２に係る尿分析装置よって得られる効果との両方を得ることができる。
【０１５１】
＜実施例４＞
図１６に、本発明の実施例４に係る分析システムの概略構成を示す。
【０１５２】
本実施例に係る分析システムは、上記した実施例１に係る尿分析装置Ａを変形したものである。以下、実施例１に係る尿分析装置Ａと異なる部分を中心に、本実施例に係る分析システムの構成、機能を説明する。
【０１５３】
図示してあるように、分析システムは、第一分析装置１１、第２分析装置１２、簡易分析装置１３、管理装置１５を備えている。この分析システムは、分析装置１１〜１３が離れた位置（例えば、別の部屋）に設置されることを想定して開発したシステムである。尚、ここでは、同じ内容の検体ラック３が３つ用意されて各分析装置１１〜１３に同時期にセットされる形で運用される例を示すが、本発明は、分析装置１１〜１３に同一の検体ラック３が、適宜、搬送装置（搬送ライン）により搬送される形で運用されるものも含む。
【０１５４】
第一分析装置１１は、検体ラック３に保持されている各スピッツ３０内の検体（本実施例では、尿）に対して、上記した第一分析部Ａ１が行うものと同様の第一分析処理（尿定性検査）を行う装置である。この第一分析装置１１は、各スピッツ３０に付されている識別コード３１を読み取る機能、読み取った識別コード３１を、検体の検査結果（検体中のタンパク質、グルコース、ヘモグロビン及びビリルビン等の濃度や、検体の比重等）と共に管理装置１５に送信する機能等を、有している。
【０１５５】
簡易分析装置１３は、検体ラック３に保持されている各スピッツ３０内の検体に対して、上記した簡易分析部Ａ３が行うものと同様の簡易分析処理を行う装置である。この簡易分析装置１３は、各スピッツ３０に付されている識別コード３１を読み取る機能、読み取った識別コード３１を、検体の検査結果（検体の屈折率、比重、色調を表す値等）と共に管理装置１５に送信する機能等を、有している。
【０１５６】
第二分析装置１２は、検体ラック３に保持されている各スピッツ３０内の検体に対して、上記した第二分析部Ａ１が行うものと同様の第二分析処理（尿沈渣検査）を行う装置である。この第二分析装置１２も、各スピッツ３０に付されている識別コード３１を読み取る機能を有している。また、第二分析装置１２は、或る識別コード３１が付されているスピッツ３１内の検体の分析を行うか否かを管理装置１５からの情報に基づき決定する機能（詳細は後述）を有している。
【０１５７】
管理装置１５は、分析装置１１〜１３による検体の分析結果を収集して、所定のデータベース内に記憶するコンピュータである。この管理装置１５は、どの検体を第二分析装置１２に分析させるかを決定する機能を有している。
【０１５８】
具体的には、既に説明したように、簡易分析装置１３は、読み取った識別コード３１を、検体の検査結果と共に管理装置１５に送信する装置となっている。管理装置１５は、簡易分析装置１３からの情報（識別コード３１と検査結果とを含む情報）を受信した場合、当該情報をデータベースに記憶すると共に、当該情報中の検査結果から、当該情報中の識別コード３１で識別される検体（以下、注目検体と表記する）が第二分析処理を行うべきものであるか否かを判断する。そして、管理装置１５は、注目検体が第二分析処理を行うべきものであると判断した場合には、注目検体の識別コード３１を含む、注目検体に対して第二分析処理を行うべきことを意味する指示情報を第二検査装置１２に対して送信する。また、管理装置１５は、注目検体が第二分析処理を行う必要がないものであると判断した場合には、注目検体の識別コード３１を含む、注目検体に対して第二分析処理を行う必要がないことを意味する指示情報を第二検査装置１２に対して送信する。
【０１５９】
第二分析装置１２は、管理装置１５から指示情報が送信されてきた場合には、当該指示情報を内部に記憶する。また、第二分析装置１２は、或るスピッツ３０内の検体を実際に採取する前に、当該スピッツ３０に付されている識別コード３１を読み取る。その後、第二分析装置１２は、内部に記憶している指示情報の中から、読み取った識別コード３１を含む指示情報を検索する。
【０１６０】
そして、第二分析装置１２は、検索した指示情報が、第二分析処理を行うべきことを意味するものであった場合には、検体に対する第二分析処理を開始し、検索した指示情報が、第二分析処理を行う必要がないことを意味するものであった場合には、次のスピッツ３０内の検体に対する処理を開始する。尚、第二分析装置１２は、読み取った識別コード３１を含む指示情報を検索できなかった場合には、当該指示情報が管理装置１５から送信されてくるのを待機し、当該指示情報が送信されてきたときに、上記動作を行う。
【０１６１】
以上の説明から明らかなように、本実施例に係る分析システムも、或る検体（試料）に対する第一分析処理の完了前に第二分析処理を開始することが可能な構成を有している。従って、この分析システムによっても、試料に対して複数の分析処理を行う場合において、全体としての分析処理の効率を向上させることができることになる。
【０１６２】
上記各実施例は可能な限り組み合わせることができる。
【産業上の利用可能性】
【０１６３】
本発明は、複数の分析処理が行われる試料の分析に利用できる。
【符号の説明】
【０１６４】
Ａ・・・尿分析装置
Ａ１・・第一分析部
Ａ２・・第二分析部
Ａ３・・簡易分析部
１・・・筐体
２・・・搬送装置
３・・・検体ラック
４、４Ａ、４Ｂ・・・ノズル
１１・・第一分析装置
１２・・第二分析装置
１３・・簡易分析装置
１５・・管理装置
３０・・スピッツ
４１ａ・・共通尿流路
４１ｂ・・第一尿流路
４１ｃ・・第二尿流路
６０・・制御部
６１・・第一判定部
６２・・第二判定部
６３・・判定部
７０・・尿貯留槽
７１・・スピッツ
【図１】
0005917396.tif 000002
【図２】
0005917396.tif 000003
【図３】
0005917396.tif 000004
【図４】
0005917396.tif 000005
【図５】
0005917396.tif 000006
【図６】
0005917396.tif 000007
【図７】
0005917396.tif 000008
【図８】
0005917396.tif 000009
【図９】
0005917396.tif 000010
【図１０】
0005917396.tif 000011
【図１１】
0005917396.tif 000012
【図１２】
0005917396.tif 000013
【図１３】
0005917396.tif 000014
【図１４】
0005917396.tif 000015
【図１５】
0005917396.tif 000016
【図１６】
0005917396.tif 000017